(57)【特許請求の範囲】
【請求項１】
ＣＦＬによって発生した変調妨害信号に対する耐性を有し、かつ、ある周波数レンジ内の搬送波周波数を持ったＩＲ光を受信可能な受信手段であって、前記周波数レンジ内の第１搬送波周波数を有する変調されたデータ信号および前記周波数レンジ内の第２搬送波周波数を有する前記変調妨害信号を有するＩＲ入力光信号を受信し、前記第１搬送波周波数を有する変調されたデータ信号と第２搬送波周波数を有する前記変調妨害信号とのパルス特性の違いに基づいて該ＩＲ入力光信号を復調することで前記変調妨害信号のない受信データ信号を供給する受信手段と、
前記第１搬送波周波数とわずかに異なる周波数で、かつ、第１搬送波周波数を有する変調されたデータ信号光を受光する受信装置においても受信可能な周波数の第３搬送波周波数を発生する固定周波数発振器と、
前記受信手段および前記固定周波数発振器に結合されたトランスミッタ手段とを備え、
該トランスミッタ手段は、前記受信データ信号に応答して、前記第３搬送波周波数を該データ信号で変調することによって、該データ信号を含み、かつ、前記第３搬送波周波数を有するＩＲ出力信号を供給することを特徴とするＩＲリピータ。
【発明の詳細な説明】
【０００１】
【発明の属する技術分野】
本発明は、ＣＦＬ（compact fluorescent lights）に起因する妨害が存在する場合でも動作するＩＲリピータに関する。
【０００２】
なお、本明細書の記述は本件出願の優先権の基礎たる米国特許出願第０８／４６７，１２１号（１９９５年６月６日出願）の明細書の記載に基づくものであって、当該米国特許出願の番号を参照することによって当該米国特許出願の明細書の記載内容が本明細書の一部分を構成するものとする。
【０００３】
【従来の技術】
民生用電子装置、例えば、ＴＶ(television)受信機や、ビデオ・カセット・レコーダや、ケーブルまたは衛星受信機ボックスのような民生用電子装置用の現行のワイヤレス・リモート・コントロール装置は、変調信号で変調された符号化信号を表すＩＲ(infrared)光信号を民生用電子装置に送信して、当該民生用電子装置を操作する。この変調されたＩＲ光信号は、民生用電子装置のＩＲレシーバにより受信される。ＩＲリモート・コントロール装置はライン・オブ・サイト(line-of-sight devices) 装置であり、ＩＲリモート・コントロール装置で生成されるＩＲ光信号に対して見通し内にない民生用電子装置は、ＩＲ光信号を受信することができず、ＩＲリモート・コントロール装置のコマンドに応答することができないことになる。さらに、ＩＲリモート・コントロール装置は、操作範囲に限界があり、１つの部屋内で用いるには充分であるが、部屋間で用いるには充分ではない。
【０００４】
しかし、最近の民生用電子装置は家具、例えば、頑丈なドアの付いたホーム娯楽ユニット(home entertainment units)のような家具内に置かれている。ホーム娯楽ユニット内には、例えば、ＴＶ、ケーブル・ボックス、衛星受信機、等を置くことができる。このような場合、ＴＶ受信機は見通し内に置かれ、ケーブルボックスと、衛星受信機と、ビデオ・カセット・レコーダがホーム娯楽ユニット内に置かれることになる。さらに、民生用電子装置は家庭内の別々の部屋に置かれている。例えば、衛星受信機は居間のＴＶ受信機の直そばに置くことができるが、ベッドルームのＴＶ受信機に結合することはできない。リモート・コントロール装置により生成されたＩＲ光は、頑丈なドアを透過することはできないし、部屋から部屋に受け渡すこともできないので、隠蔽された装置や離れた位置にある装置をＩＲ光により制御することはできない。
【０００５】
キャビネット内の民生用電子装置や、家庭内の別の部屋にある民生用電子装置を制御する能力を提供するため、ＩＲリピータが開発された。ＩＲリピータは、リモート・コントロール装置により生成された符号化され変調されたＩＲ信号を受信することができる位置にあるＩＲ受信機を含む。例えば、ＩＲリピータは、リモート・コントロール装置が用いられている部屋のホーム娯楽ユニット外に置くことができる。制御される民生用電子装置がＩＲ信号を受信することができる位置に、ＩＲトランスミッタが置いてあり、そのＩＲトランスミッタとＩＲ受信機とが結合されている。例えば、ＩＲ受信機はホーム娯楽ユニット内に置かれるか、あるいは、民生用電子装置が置かれている部屋内に置かれる。ＩＲトランスミッタはＩＲ発光装置を含む。このＩＲ発光装置は、ＩＲ発光装置からのＩＲ光が、制御される民生用電子装置のＩＲレシーバに当たるように置かれている。特に、ＩＲ発光装置は、通常、民生電子装置のＩＲレシーバのすぐそばに置かれる。ＩＲリピータのＩＲレシーバは、リモート・コントロール装置により生成された符号化ＩＲ光信号を検出し、検出された信号は（通常は、ワイヤを介して）ＩＲトランスミッタに伝送される。ＩＲトランスミッタはＩＲ光信号を生成する。このＩＲ光信号は、ＩＲレシーバにより受信されたＩＲ光信号と同一である。民生用電子装置は、ＩＲトランスミッタからのＩＲ光信号を受信し、所望の機能を奏する。
【０００６】
民生用電子装置の製造業者は、符号化制御信号を変調してＩＲ光信号にするのに、異なる変調周波数を用いている。ＩＲリピータが個々の製造業者の変調周波数で動作するようにするため、ＩＲリピータのＩＲレシーバには、比較的広帯域の周波数に応答するＩＲ検出器を用いている。すなわち、ＩＲ検出器は、変調されたＩＲ光信号を検出することになる。ＩＲ光信号は比較的広範囲の周波数で変調される。例えば、ＩＲリピータは約２０kHz から１００kHz の周波数レンジの変調周波数で変調されるＩＲ光信号を検出するのが一般的である。この周波数レンジの変調されたＩＲ光信号は、ＩＲレシーバにより検出することができる。ＩＲ光信号が検出されると、受信された信号に良く似たＩＲ信号がＩＲトランスミッタで生成される。
【０００７】
【発明が解決しようとする課題】
安定器を有する最近の蛍光灯は、ＣＦＬ(compact fluorescent lights)といわれるが、白熱灯に代わるものとして開発された。ＣＦＬは消費エネルギーが白熱灯よりも小さいので、広く用いられている。しかし、ＣＦＬは、リモート・コントロール装置により生成された符号化され変調されたＩＲ光信号と同様の特性を有するＩＲ光を発生する。すなわち、ＣＦＬには安定器があるので、蛍光管は、見掛け上、２０kHz から１００kHz の周波数レンジの変調周波数で変調されたＩＲ光信号を発生する。さらに、ＣＦＬが発生するＩＲ光の光度は、リモート・コントロール装置により生成されたＩＲ光の光度より遥かに大きい。従って、ＣＦＬにより発生されたＩＲ光により、リモート・コントロール装置により生成された符号変調されたＩＲ光信号が完全にオーバパワーにされる。現行のＩＲリピータはその受信部で受信されたＩＲ信号と良く似た信号を生成するので、近傍のＣＦＬに起因する妨害がＩＲリピータによりピックアップされると、この妨害により、ＩＲリピータの生成するＩＲ光信号が妨害されることになる。ＣＦＬが存在する場合には、ＩＲリピータの能力が著しく低下するか、あるいは、動作不能にさえなることが知られている。
【０００８】
本発明の目的は、上記のような問題点を解決したＩＲリピータを提供することにある。
【０００９】
【課題を解決するための手段】
ＣＦＬに起因する妨害に対して耐性を有するＩＲ検出器が開発された。これらのＩＲ検出器は、ＣＦＬから妨害ＩＲ光がある場合に、リモート・コントロール装置からの符号化され変調された制御信号を表すＩＲ光信号を受信することができ、公知の方法により、ＣＦＬからの妨害を除去することができる。そして、リモート・コントロール装置からの符号化され変調されたＩＲ光信号は復調され、このようなＩＲ検出器は符号化制御信号を表す電気信号を生成する。
【００１０】
多くの製造業者によるリモート・コントロール装置で動作し、しかも、ＣＦＬが存在しても高信頼で動作することができるＩＲリピータが望ましい。本発明の原理によれば、ＩＲリピータは、ＣＦＬの妨害に対して耐性があり、変調信号により変調された符号化信号を表すＩＲ光信号を受信するレシーバを含む。発振器はトランスミッタ変調信号を生成し、トランスミッタはトランスミッタ変調信号により変調された、検出された符号化信号を表すＩＲ光信号を生成する。
【００１１】
ＣＦＬに対して耐性を有するＩＲ検出器がＩＲレシーバで用いられた場合、ＣＦＬの影響を最小にすることができるので、そのＩＲレシーバの能力はＣＦＬにより著しく低下することはない。ＩＲレシーバは、個々の製造業者により用いられる周波数レンジのほぼ中心にある変調信号中心周波数に応答するようにしてあり、この周波数レンジのほぼ中心に、発振器により生成された変調信号の周波数も存在する。ＩＲリピータのトランスミッタにより生成されたＩＲ信号の変調信号周波数が、個々の製造業者により用いられる周波数レンジのほぼ中心に存在するので、このＩＲ信号を、このような製造業者による民生用電子装置のＩＲレシーバにより検出することができる。さらに、トランスミッタ変調信号は、ＩＲリピータの発振器により生成されるクリーン(clean) な信号であり、ＩＲレシーバからの信号とは似通っていない。従って、ＩＲリピータにより本発明に従って生成された信号により、ＣＦＬ妨害のない、変調されたＩＲ光信号が生成されることになる。
【００１２】
本発明に係るＩＲリピータは、ＣＦＬによって発生した変調妨害信号に対する耐性を有し、かつ、ある周波数レンジ内の搬送波周波数を持ったＩＲ光を受信可能な受信手段（２０，２０２）であって、前記周波数レンジ内の第１搬送波周波数を有する変調されたデータ信号および前記周波数レンジ内の第２搬送波周波数を有する前記変調妨害信号を有するＩＲ入力光信号を受信し、前記第１搬送波周波数を有する変調されたデータ信号と第２搬送波周波数を有する前記変調妨害信号とのパルス特性の違いに基づいて該ＩＲ入力光信号を復調することで前記変調妨害信号のない受信データ信号を供給する受信手段（２０，２０２）と、前記第１搬送波周波数とわずかに異なる周波数で、かつ、第１搬送波周波数を有する変調されたデータ信号光を受光する受信装置においても受信可能な周波数の第３搬送波周波数を発生する固定周波数発振器（４０）と、前記受信手段および前記固定周波数発振器（４０）に結合されたトランスミッタ手段（５０）とを備え、該トランスミッタ手段（５０）は、前記受信データ信号に応答して、前記第３搬送波周波数を該データ信号で変調することによって、該データ信号を含み、かつ、前記第３搬送波周波数を有するＩＲ出力信号を供給することを特徴とする。
【００１３】
【発明の実施の形態】
図１はリモート・コントロール装置１０を示す。リモート・コントロール装置１０は、符号化制御信号でＩＲ光信号を変調し、変調されたＩＲ光信号をＩＲリピータのＩＲレシーバのＩＲ光検出器に供給する。図１に示すＩＲリピータでは、ＩＲ光検出器２５はＩＲフォトランジスタとして示す。ＩＲ光検出器としては、任意のＩＲ光検出装置でもよい。ＩＲレシーバ２０の制御出力端子は信号ゲート３０の制御入力端子に結合されている。固定周波発振器（ＯＳＣ）４０は、その信号出力端子が信号ゲート３０の信号入力端子に結合されている。信号ゲート３０の信号出力端子は、ＩＲトランスミッタ５０の入力端子に結合されている。ＩＲトランスミッタ５０はＩＲ発光装置５５に結合されている。ＩＲ発光装置５５はＩＲトランスミッタ５０により受信された電気信号に対応するＩＲ光信号を供給する。図１に示すＩＲリピータでは、ＩＲ発光装置５５はＩＲ  ＬＥＤ（light emitting diode）として示す。ＩＲ発光装置としては、任意のＩＲ発光装置でもよい。ＩＲ発光装置５５は、ＩＲ発光装置５５から出射されたＩＲ光が民生用電子装置としてのＴＶ受信機６０のＩＲ光検出装置６５に当たるように置かれている。図１には、ＩＲ光検出装置６５がＩＲフォトトランジスタとして示してある。ＩＲ光検出装置としては任意のＩＲ光検出装置でも良い。さらに、民生用電子装置として、ＴＶ受信機としてのＴＶ受信機６０を示す。図１に示すＩＲリピータは、ＩＲリモート・コントロール装置によりリモート・コントロールが可能な任意の民生用電子装置を動作させることになる。
【００１４】
動作中、リモート・コントロール装置１０は符号化され変調されたＩＲ光信号を生成する。本実施の形態では、（後程、詳述する）符号化信号は、ＰＣＭ（pulse code modulation ）変調された信号であって、ＴＶ受信機６０を制御するコマンドを表す信号である。この符号化信号はＩＲフォトトランジスタ２５により検出され、ＩＲフォトランジスタ２５は符号化され変調された信号を表す電気信号を生成する。ＩＲレシーバ２０はＩＲ光センサ２５からの電気信号を復調し、ＰＣＭ信号を構成するパルスを表す２状態信号を生成する。この２状態信号の第１状態、すなわち、論理１信号は、変調されたＩＲ光がＩＲフォトトランジスタ２５に入射されたことを表し、第２状態、すなわち、論理０信号は、変調されたＩＲ光がＩＲフォトトランジスタ２５に入射されていないことを表す。この２状態信号は信号ゲート３０の制御入力端子に供給される。
【００１５】
固定周波発振器４０は、約４７kHz の周波数を有する変調信号を出力端子に出力する。変調信号周波数としては、リモート・コントロール装置からのＩＲ光信号をＰＣＭ信号で変調するため個々の製造業者により用いられる周波数レンジ（約３２kHz から約５６kHz ）の中心に近い周波数が選択される。この変調信号は信号ゲート３０のデータ入力端子に供給される。この信号ゲート３０は制御可能なスイッチとして動作する。ＩＲレシーバ２０からの信号が論理１（変調されたＩＲ光がＩＲフォトトランジスタ２５に入射されていることを示す）になると、信号ゲート３０は信号入力端子の変調信号を引き続き信号出力端子にパッシングする。ＩＲレシーバ２０からの信号が論理０（変調されたＩＲ光がＩＲフォトトランジスタ２５に入射されていないことを表す）になると、信号ゲート３０は入力端子の変調信号をブロックするように条件付けされる。信号ゲート３０からの出力信号は、４７kHz の変調信号で変調された符号化信号を表す電気信号である。
【００１６】
信号ゲート３０からの電気信号はＩＲトランスミッタ５０に供給される。ＩＲトランスミッタ５０はこの電気信号を条件付けして、ＩＲ  ＬＥＤ５５を駆動し、この変調された電気信号に対応するＩＲ光信号を生成する。従って、ＩＲ  ＬＥＤ５５により生成されたＩＲ光信号は、ＩＲフォトトランジスタ２５により受信されたパルス符号化信号であるが、４７kHz の変調信号で変調されている。この符号化され変調されたＩＲ光信号は、ＴＶ受信機６０のＩＲフォトトランジスタ６５に入射される。ＴＶ受信機６０は、その符号化信号により表されるコマンドを実行することにより、この受信されたＩＲ光信号に通常の方法で応答する。
【００１７】
図２は本願発明に係る動作を理解するのに有用な波形図である。図２に示す波形図は、リモート・コントロール装置１０（図１）とＩＲ  ＬＥＤ５５により生成されるような符号変調された信号を表す。リモート・コントロール装置１０（図１）とＩＲ  ＬＥＤ５５により生成される信号の差異を次に説明する。図２には、一連の符号パルスを示す。図２（ａ）に示すパルスは、パルス位置符号化信号を形成するように配置されている。一連のクロックパルスＣ１，Ｃ２，Ｃ３．．は、これら一連のクロックパルスの間にデータパルスＤ１，Ｄ２，Ｄ３．．．を配置して生成される。一連のクロックパルスＣ１，Ｃ２，Ｃ３．．．間のデータパルスＤ１，Ｄ２，Ｄ３．．．の時間軸上の位置により、連続するクロックパルスＣ１，Ｃ２，Ｃ３．．．間隔の間に論理１または論理０が伝送されるか否かを判定する。
【００１８】
クロックパルスＣ１およびＣ２と、データパルスＤ１において、データパルスＤ１は時間軸上でクロックパルスＣ２よりクロックパルスＣ１に近い。このことは、データビットが論理１を有していることを表している。クロックパルスＣ２およびＣ３と、データパルスＤ２において、データパルスＤ２は時間軸上でクロックパルスＣ２よりもクロックパルスＣ３に近い。
【００１９】
このことは、データビットが論理０を有することを表している。第１データパルスが時点Ｄ１ａで伝送される場合は、データビットが論理０を有することを表し、第２データパルスが時点Ｄ２ａで伝送される場合は、データビットが論理１を有することを表す。制御信号は予め定めた数のデータビットを備えている。
【００２０】
図２（ｂ）は図２（ａ）に示すクロックパルスＣ２のコンポジションを詳細に示す。図２（ａ）に示す各パルスは予め定めたパルス幅を有し、変調周波数で生成される複数サイクルのＩＲ光パルスよりなる。図２（ｂ）において、斜線を施した部分はＩＲ光が入射されていることを表し、斜線を施していない部分はＩＲ光が入射されていないことを表す。ＩＲ光パルスのエンベロープは、変調周波数で繰り返されるが、図２（ａ）に示すクロックパルスとデータパルスを規定する。リモート・コントロール装置１０（図１）により生成された変調された符号化パルスの場合、変調周波数は（約３２kHz から約５６kHz で動作する）リモート・コントロール装置１０の製造業者により用いられる変調周波数である。ＩＲトランスミッタ５０のＩＲ  ＬＥＤ５５により生成された変調された符号化パルスの場合、約４７kHz の変調周波数が選択される。
【００２１】
図１を再び説明する。ＩＲレシーバ２０は、ＣＦＬにより出射された偽ＩＲ光の影響を検出し最小にするように設計される。ＣＦＬにより出射されたＩＲ光は、約２０kHz および約１００kHz の間の周波数を有するＩＲ光パルスの連続するグループよりなる。その光パルスはＣＦＬに供給されるＡＣパワーにより規定されるエンベロープを有する。このＡＣパワーの半サイクルごとに、ＣＦＬはＩＲ光パルスのグループを生成する。そのグループのエンベロープは約５０％のデューティ・サイクルを有し、そのグループはＡＣパワー周波数の約２倍の周波数で生じる。特に、ある種のＣＦＬはＩＲ光パルスを約５６kHz で生成し、エンベロープは米国では１２０Ｈｚの繰り返し周波数を有し、４０％のデューティ・サイクルを有する。これらのパルスの特性は図２（ｂ）に示すパルスの特性とは全く異なる。図２（ｂ）では、ＩＲレシーバ２０はこれらの特性を有するＩＲ光パルスを検出することができ、これらの特性の影響を除去するか、あるいは、最小にすることができる。
【００２２】
上述したように、ＩＲトランスミッタ５０のＩＲ  ＬＥＤ５５により生成された符号変調されたＩＲ光信号は、ＴＶ受信機６０により期待される変調周波数とは僅かに異なる変調周波数を有することができる。しかしながら、ＩＲリピータの応用では、このことは問題にはならない。リモート・コントロール装置１０は電池駆動されるので、比較的低いパワーでＩＲ光を生成する。さらに、リモート・コントロール装置はＴＶ受信機から比較的遠い所から、すなわち、数フィート離れた所から操作されるのが一般的である。ＴＶ受信機のＩＲ光受光器は、これらの環境で生成されるＩＲ光信号を検出するだけの感度を有する。しかし、ＩＲリピータは家庭のＡＣ電源に直接結合されるので、ＩＲ光を比較的高いパワーで生成することができる。上述したように、ＩＲリピータのＩＲトランスミッタ５０のＩＲ  ＬＥＤ５５は、物理的に、ＴＶ受信機６０のＩＲフォトトランジスタ６５の近くに置かれるのが一般的である。ＩＲ  ＬＥＤ５５により生成されたＩＲ光信号のパワーが比較的高く、ＩＲ  ＬＥＤ５５と、ＴＶ受信機６０のＩＲフォトトランジスタ６５が接近しているので、ＩＲリピータにより生成された４７kHz の変調周波数と、ＴＶ受信機６０により期待される変調信号周波数との間の僅かなチューニングのずれを克服することができる。
【００２３】
上述したように、従来のＩＲリピータのトランスミッタにより、レシーバにより受信されるＩＲ光信号に似通ったＩＲ光信号が生成される。従って、受信されたＩＲ光信号はＣＦＬからのＩＲ光で破壊され、伝送されたＩＲ光信号も同様に破壊されることになる。このようなＩＲリピータの能力はＣＦＬが存在する場合には大幅に低下し、全く動作しないものもある。しかし、図１に示すＩＲリピータは、ＣＦＬの妨害に対して耐性を有するレシーバを用いている。このようなレシーバからの出力信号（復調された符号化信号を表す）は、ＩＲリピータ内の発振器からのクリーン発振器信号を変調するために用いられる。このクリーンであって新たに生成され変調された信号は、トランスミッタのＩＲ発光装置を制御する。このような信号に応答してＩＲ発光装置により生成されたＩＲ光は、ＣＦＬの妨害がなく、その動作はＣＦＬが存在する場合でも低下しない。
【００２４】
図３は図１に示すＩＲリピータを詳細に示す。図３には、図示しない電源は５ボルトである。抵抗Ｒ１の一方の端子は、電源に接続され、npn トランジスタＱ１のコレクタに接続されている。ＩＲ検出器２０２の信号端子はトランジスタＱ１のエミッタと、グランドに接続されている。ＩＲ検出器２０２は、電源に結合することにより、動作パワーを受信する。ＩＲ検出器２０２は、４５kHz の変調信号中心周波数に同調されており、Sharp 社製のGP1U78QG  ＩＲ  検出器である。抵抗Ｒ２は一方の端子が電源に接続され、他方の端子がトランジスタＱ１のベースに接続されている。抵抗Ｒ３は一方の端子が電源に接続され、他方の端子がnpn トランジスタＱ２のコレクタに接続されている。トランジスタＱ２のエミッタはグランドに接続されている。抵抗Ｒ４は一方の端子が電源に接続され、他方の端子がトランジスタＱ２のベースに接続されている。コンデンサＣ１は一方の端子がトランジスタＱ２のベースに接続され、他方の端子がトランジスタＱ１のコレクタに接続されている。コンデンサＣ２は一方の端子がトランジスタＱ１のベースに接続され、他方の端子がトランジスタＱ２のコレクタに接続されている。
【００２５】
抵抗Ｒ６は一方の端子が電源に接続され、他方の端子がnpn トランジスタＱ３のコレクタに接続されている。抵抗Ｒ７は一方の端子がトランジスタＱ３のエミッタに接続され、他方の端子がグランドに接続されている。抵抗Ｒ５は一方の端子がトランジスタＱ２のコレクタに接続され、他方の端子がトランジスタＱ３のベースに接続されている。抵抗Ｒ８は一方の端子が電源に接続され、抵抗Ｒ８の他方の端子とＩＲ  ＬＥＤ５５のアノードが直列に接続され、ＩＲ  ＬＥＤ５５のカソードがnpn トランジスタＱ４のコレクタに接続されている。トランジスタＱ４のエミッタがグランドに接続されている。トランジスタＱ３のエミッタがトランジスタＱ４のベースに接続されている。ＩＲ  ＬＥＤ５５は長いワイヤを介して抵抗Ｒ８とトランジスタＱ４のコレクタに接続することができる。すなわち、ある部屋からある部屋にワイヤを引くことができる。トランジスタＱ１，Ｑ２，Ｑ３Ｑ４は、全て、Motorola社製のMPS-A20 npn トランジスタである。
【００２６】
テーブル１は図３に示すコンポーネントの好ましい値を示す。
【００２７】
【表１】
0003670393.tif 000002
【００２８】
動作中、ＩＲ検出器２０２は、上述したように、ＣＦＬからの偽ＩＲ光の妨害を最小にしつつ、予め定めた変調信号中心周波数（すなわち、４５kHz ）で変調されたＩＲ光が入射されたことを検出する。変調されたＩＲ光が検出されると、ＩＲ検出器２０２を条件付けして、２つの信号端子間に電流を流し、変調されたＩＲ光が検出されないときは、ＩＲ検出器２０２を条件付けして、電流を流さない。
【００２９】
ＩＲ検出器２０２が非導通状態のときは（変調されたＩＲ光が存在しないことを表す）、トランジスタＱ１がターンオフされ、両方のコンデンサＣ１，Ｃ２が開回路のように動作する。トランジスタＱ２のベースは抵抗Ｒ４を介して電源に接続されているが、トランジスタＱ２がターンオンされると、コレクタ電圧がグランド電圧に引き下げられる。トランジスタＱ３のベースの電圧が抵抗Ｒ５を介して引き下げられ、トランジスタＱ３がターンオフされる。トランジスタＱ４のベースは抵抗Ｒ７を介して引き下げられ、トランジスタＱ４がターンオフされ、ＩＲ  ＬＥＤ５５を介して電流が流れないようにされる。要約すると、変調されたＩＲ光がＩＲ検出器２０２により検出されないときは、ＩＲ光がＩＲ  ＬＥＤ５５により出射される。
【００３０】
ＩＲ検出器２０２が導通すると（変調されたＩＲ光が検出されたことを示す）、トランジスタＱ４のエミッタがグランドに結合される。トランジスタＱ１およびＱ２と、抵抗Ｒ１，Ｒ２，Ｒ３，Ｒ４と、コンデンサＣ１，Ｃ２と、ＩＲ検出器２０２を組合わせたものは、マルチバイブレータ（図１の４０）が発振するように調整され、４７kHz の方形波を生成すると、周知の方法で動作する。トランジスタＱ２のコレクタに出力される信号は、変調されたＩＲ光がＩＲ検出器２０２により検出される期間に生成される４７kHz の方形波である。ＩＲ検出器２０２はこのマルチバイブレータをＯＮ／ＯＦＦするスイッチとして動作する。トランジスタＱ３，Ｑ４と、抵抗Ｒ５，Ｒ６，Ｒ７，Ｒ８と、ＩＲ  ＬＥＤ５５とを組合わせたものは、トランスミッタ（５０）を構成し、２段のエミッタフォロワーとして周知の動作をする。この２段のエミッタフォロワーは、発振器４０の出力に応答するものであり、変調されたＩＲ光がＩＲ検出器２０２により検出される期間に、４７kHz の周波数でＩＲ  ＬＥＤ５５をＯＮ／ＯＦＦする。ＩＲ  ＬＥＤ５５は４７kHz の周波数で変調された符号化ＩＲ光信号を生成する。ＩＲ検出器２０２は信号ゲート３０として動作し、発振器４０からの変調信号のトランスミッタ５０への伝送を制御する。
【００３１】
図４は図３に示すＩＲ検出器２０２の他の例を示す。図３に示すＩＲリピータのＩＲ検出器２０２は、単一のＩＲ検出器であり、変調信号中心周波数が約４５kHz である。
【００３２】
図４に示すように、トランジスタＱ１のエミッタは、第１のＩＲ検出器２０４および第２のＩＲ検出器２０６を並列接続したものを介してグランドに接続されている。第１のＩＲ検出器２０４は、３８kHz の変調信号中心周波数に同調され、TEMEC Telefunken Microelectronic GmbH 社製のTFMS1380  ＩＲ検出器である。第２のＩＲ検出器２０６は、５６kHz の変調信号中心周波数に同調され、TEMEC Telefunken Microelectronic GmbH 社製のTFMS1560  ＩＲ検出器である。
【００３３】
上述したＩＲリピータはＣＦＬが存在しても信頼できる動作を提供し、製造業者の種々の装置で動作する。
【図面の簡単な説明】
【図１】本発明に係るＩＲリピータを含むリモート制御システムを示すブロック図である。
【図２】本発明の動作を説明するための波形図である。
【図３】図１に示すＩＲリピータを詳細に示す回路図である。
【図４】図３に示すＩＲ検出器の他の例を示すブロック図である。
【符号の説明】
１０  リモート・コントロール装置
２０  ＩＲレシーバ
２５，６５  ＩＲフォトトランジスタ
３０  信号ゲート
４０  固定周波発振器
５０  ＩＲトランスミッタ
５５  ＩＲ発光装置
６０  ＴＶ受信機
【図１】
0003670393.tif 000003
【図２】
0003670393.tif 000004
【図３】
0003670393.tif 000005
【図４】
0003670393.tif 000006